(57)【要約】【課題】投写レンズに付着した塵埃を払拭し、払拭した塵埃を排出するプロジェクターを提供する。【解決手段】プロジェクターは、投写レンズ３６を収納し、投写レンズ３６から射出された光束が通過する投写用開口部２１、および内部の空気を外部に排出するための排気口２２を有する外装筐体２と、投写用開口部２１をスライド移動によって開閉するレンズカバー４１と、レンズカバー４１に設けられ、レンズカバー４１のスライド移動によって、投写レンズ３６の光束射出側端面３６Ａを払拭する払拭部材４２と、払拭部材４２で払拭された塵埃を受容する受容部５１を有し、塵埃を排気口２２に導く塵埃用ダクト５と、塵埃用ダクト５内に受容部５１から排気口２２に向けて空気を送風する排気ファン６と、を備える。【選択図】図１
2012150315.tif 000002
【特許請求の範囲】
【請求項１】
光源から射出された光束を画像情報に応じて変調し、変調した光束を投写レンズによって投写するプロジェクターであって、
前記投写レンズを収納し、前記投写レンズから射出された光束が通過する投写用開口部、および内部の空気が外部に排出される排気口を有する外装筐体と、
前記投写用開口部をスライド移動によって開閉するレンズカバーと、
前記レンズカバーに設けられ、前記レンズカバーのスライド移動によって、前記投写レンズの光束射出側端面を払拭する払拭部材と、
前記払拭部材で払拭された塵埃を受容する受容部を有し、前記塵埃を前記排気口に導く塵埃用ダクトと、
前記塵埃用ダクト内に前記受容部から前記排気口に向けて空気を送風するファンと、
を備えることを特徴とするプロジェクター。
【請求項２】
請求項１に記載のプロジェクターであって、
前記ファンは、前記外装筐体内の冷却対象を冷却した空気を外部に排出する排気ファンであることを特徴とするプロジェクター。
【請求項３】
請求項１または請求項２に記載のプロジェクターであって、
前記払拭部材は、前記光束射出側端面の光軸方向における進退の量より大きな量の伸縮が可能な部材で形成されていることを特徴とするプロジェクター。
【請求項４】
請求項１〜請求項３のいずれか一項に記載のプロジェクターであって、
前記塵埃用ダクトは、当該プロジェクターが据え置かれる据置姿勢、および前記据置姿勢に対して当該プロジェクターが上下反転されて設置される天吊姿勢において、鉛直方向における前記光束射出側端面の下方に位置する前記受容部を有することを特徴とするプロジェクター。
【発明の詳細な説明】
【技術分野】
【０００１】
本発明は、プロジェクターに関する。
【背景技術】
【０００２】
従来、光源から射出された光束を画像情報に応じて変調する光学装置と、光学装置にて変調された光束を投写する投写レンズとを備えたプロジェクターが知られている。このプロジェクターには、未使用時における投写レンズの保護を目的として着脱式のカバーや、スライド式のカバー等が備えられている。また、このスライド式のカバーによって、投写レンズのレンズ表面に付着した塵埃を除去するように構成した技術が提案されている（例えば、特許文献１参照）。
【０００３】
特許文献１に示すプロジェクターは、レンズクリーナーが回転自在に設置されたレンズカバーと、レンズクリーナーを回転させる駆動部とを備えている。そして、レンズカバーがスライド移動されると、レンズクリーナーは、回転しながら投写レンズの表面を払拭するように構成されている。
【先行技術文献】
【特許文献】
【０００４】
【特許文献１】特開２００８−２０３５９５号公報
【発明の概要】
【発明が解決しようとする課題】
【０００５】
しかしながら特許文献１に記載の技術は、払拭した塵埃が浮遊し、再び投写レンズのレンズ表面や他の光学部品に付着する恐れがある。そして、投写レンズのレンズ表面や他の光学部品に塵埃が付着すると、照度の劣化や、投写される画像の画質が劣化するという課題がある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源から射出された光束を画像情報に応じて変調し、変調した光束を投写レンズによって投写するプロジェクターであって、前記投写レンズを収納し、前記投写レンズから射出された光束が通過する投写用開口部、および内部の空気が外部に排出される排気口を有する外装筐体と、前記投写用開口部をスライド移動によって開閉するレンズカバーと、前記レンズカバーに設けられ、前記レンズカバーのスライド移動によって、前記投写レンズの光束射出側端面を払拭する払拭部材と、前記払拭部材で払拭された塵埃を受容する受容部を有し、前記塵埃を前記排気口に導く塵埃用ダクトと、前記塵埃用ダクト内に前記受容部から前記排気口に向けて空気を送風するファンと、を備えることを特徴とする。
【０００８】
本適用例によれば、プロジェクターは、払拭部材が設けられたレンズカバーを備えているので、プロジェクターの未使用時における投写レンズの保護が可能になると共に、投写用開口部を開閉する際に、投写レンズの光束射出側端面に付着した塵埃を払い落とすことができる。また、プロジェクターには、受容部を有する塵埃用ダクト、およびこの受容部から排気口に向けて空気を送風するファンが備えられている。これによって、払拭部材が払い落とした塵埃を受容部で受容し、排気口から外装筐体外部に排出することができる。よって、払拭された塵埃が再び投写レンズの光束射出側端面や他の光学部品に付着することが抑制される。したがって、プロジェクターは、長期に亘って、塵埃の付着による画質の劣化や照度の劣化を抑制して画像の投写が可能となる。
【０００９】
［適用例２］上記適用例に係るプロジェクターにおいて、前記ファンは、前記外装筐体内の冷却対象を冷却した空気を外部に排出する排気ファンであることが好ましい。
【００１０】
本適用例によれば、受容部から排気口に向けて空気を送風するファンは、例えば光源の点灯による温まった空気を排気する排気ファン等で構成されている。これによって、塵埃用ダクト内に空気を送風する専用のファンを搭載する必要がないので、プロジェクターの大型化を抑制しつつ払拭部材にて払拭した塵埃を排気口から排出することが可能となる。
【００１１】
［適用例３］上記適用例に係るプロジェクターにおいて、前記払拭部材は、前記光束射出側端面の光軸方向における進退の量より大きな量の伸縮が可能な部材で形成されていることが好ましい。
【００１２】
本適用例によれば、払拭部材は、光束射出側端面の光軸方向における進退の量より大きく伸縮する部材で形成されている。これによって、投写レンズのフォーカス調整において、光束射出側端面が移動した際にも、レンズカバーをスライドさせることで払拭部材が光束射出側端面に接触し、光束射出側端面を確実に払拭することができる。またウレタン製の部材や糸状の部材を不織状に形成した部材等の柔らかく伸縮性のある払拭部材を使用することで、投写レンズの光束射出側端面を傷つけることなく塵埃を除去することができる。
【００１３】
［適用例４］上記適用例に係るプロジェクターにおいて、前記塵埃用ダクトは、当該プロジェクターが据え置かれる据置姿勢、および前記据置姿勢に対して当該プロジェクターが上下反転されて設置される天吊姿勢において、鉛直方向における前記光束射出側端面の下方に位置する前記受容部を有することが好ましい。
【００１４】
本適用例によれば、塵埃用ダクトは、プロジェクターの据置姿勢および天吊姿勢において、光束射出側端面の下方に位置する受容部を有している。これによって、据置姿勢および天吊姿勢の双方において、投写レンズの光束射出側端面を払拭した塵埃をダクトの受容部で受容し、外装筐体の外部に排出することが可能となる。
【図面の簡単な説明】
【００１５】
【図１】第１実施形態におけるプロジェクターの概略構成を示す模式図。
【図２】第１実施形態におけるプロジェクターを前方から見た断面図。
【図３】第１実施形態におけるレンズカバーユニット近傍のプロジェクターの模式図。
【図４】第２実施形態におけるプロジェクターを模式的に示す断面図であり、天吊姿勢におけるプロジェクターを前方から見た図。
【図５】第２実施形態におけるプロジェクターを模式的に示す断面図であり、天吊姿勢におけるプロジェクターを下方から見た図。
【発明を実施するための形態】
【００１６】
（第１実施形態）
以下、第１実施形態に係るプロジェクターについて、図面を参照して説明する。
本実施形態のプロジェクターは、光源から射出された光束を画像情報に応じて変調し、変調した光束を投写レンズによってスクリーン等に拡大投写する。
【００１７】
〔プロジェクターの主な構成〕
図１は、本実施形態のプロジェクター１の概略構成を示す模式図である。
図１に示すように、プロジェクター１は、外装を構成する外装筐体２、制御部（図示省略）、光源装置３１および投写レンズ３６を有し、平面視略Ｌ字形状に形成された光学ユニット３、レンズカバーユニット４、塵埃用ダクト５、排気ファン６および電源装置７を備えている。
【００１８】
なお、図示は省略するが、外装筐体２の内部には、さらに光源装置３１等に空気を送風する冷却ファン等が配置されている。また、以下においては、説明の便宜上、光源装置３１から光束が射出される方向を＋Ｘ方向、プロジェクター１から光束が投写される方向を＋Ｙ方向（前方向）、プロジェクター１が机上等に据え置かれる据置姿勢における上方を＋Ｚ方向（上方向）として記載する。
【００１９】
外装筐体２は、プロジェクター１を構成する各部材を収容するものである。外装筐体２には、図１に示すように、前面側に位置する壁部に、投写レンズ３６から射出された光束が通過する投写用開口部２１が形成され、−Ｘ側の壁部には、外装筐体２内の空気が外部に排気される排気口２２が形成されている。
【００２０】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御等を行う。
【００２１】
光学ユニット３は、種々の一般的なプロジェクターで利用されているため、具体的な説明は省略するが、図１に示すように、光源３１１を有する光源装置３１と、液晶パネル等を有し、光源装置３１から射出された光束を変調する光学装置３５と、光学装置３５にて変調された光束を投写する投写レンズ３６を備える。また、光学ユニット３には、光源装置３１近傍の空気を排気口２２に導く光源用ダクト３７が備えられている。
【００２２】
投写レンズ３６は、複数のレンズを組み合わせた組レンズとして構成され、光学装置３５にて変調された光束をスクリーン上に拡大投写する。投写レンズ３６は、光束が射出される光束射出側端面３６Ａを有し、光束が投写される際に、この光束射出側端面３６Ａは、投写用開口部２１から露出される。投写レンズ３６は、投写される画像のフォーカス調整およびズーム調整が可能に構成され、フォーカス調整時には、光束射出側端面３６Ａが光軸３６Ｃ方向において進退する。
【００２３】
レンズカバーユニット４は、外装筐体２の内側にスライド移動可能に配置され、投写用開口部２１を開閉する。レンズカバーユニット４は、投写用開口部２１を開閉することによって、プロジェクター１の未使用時における投写レンズ３６の保護、および投写レンズ３６の光束射出側端面３６Ａを払拭可能に構成されている。なお、レンズカバーユニット４については、後で詳細に説明する。
【００２４】
塵埃用ダクト５は、レンズカバーユニット４で払拭された塵埃を受容し、後述する排気ファン６の駆動によって、受容された塵埃を排気口２２に導くように形成されている。なお、塵埃用ダクト５については、後で詳細に説明する。
【００２５】
排気ファン６は、軸流ファンで構成され、図１に示すように、外装筐体２内の排気口２２の内側に配置される。そして、排気ファン６は、光源用ダクト３７によって導かれた空気、つまり冷却対象としての光源装置３１を冷却した空気、および塵埃用ダクト５によって導かれた空気を排気口２２から排出する。
【００２６】
電源装置７は、詳細な説明は省略するが、図１に示すように、平面視略Ｌ字形状に形成された光学ユニット３の内側に配置され、制御部および光源３１１等の電子部品に電力を供給する。
【００２７】
〔レンズカバーユニットの構成〕
ここで、レンズカバーユニット４について詳細に説明する。
図２は、プロジェクター１を前方から見た断面図である。
レンズカバーユニット４は、図１、図２に示すように、レンズカバー４１、および払拭部材４２を備える。
レンズカバー４１は、投写用開口部２１を閉塞可能な大きさの板状に形成され、外装筐体２の上面から露出する操作部４１１（図２参照）を有している。レンズカバーユニット４は、この操作部４１１が把持されてスライド移動されることによって、レンズカバー４１が投写用開口部２１を開閉するように構成されている。
【００２８】
具体的に、レンズカバーユニット４は、図１に示すように、投写用開口部２１を開放する状態（開放状態）において、投写用開口部２１の−Ｘ側に位置するように配置されている。そして、レンズカバーユニット４は、開放状態から＋Ｘ方向にスライド移動され、投写用開口部２１を閉塞する状態（閉塞状態）まで移動可能に構成されている。
【００２９】
払拭部材４２は、レンズカバー４１の＋Ｘの端部近傍の−Ｙ側の面に両面テープ等の粘着材で取り付けられている。レンズカバーユニット４は、スライド移動された際に、この払拭部材４２が光束射出側端面３６Ａを払拭する。
【００３０】
払拭部材４２は、平面視長尺状に形成され、図２に示すように、長手方向となる上下方向の寸法が光束射出側端面３６Ａの外形寸法より大きく形成されている。
払拭部材４２は、ウレタン製の部材や糸状の部材を不織状に形成した部材等の伸縮性を有する柔らかい材料が用いられており、光束射出側端面３６Ａを傷つけることなく塵埃を払拭することができるように形成されている。
【００３１】
また、払拭部材４２は、光束射出側端面３６Ａの光軸３６Ｃ方向における進退の量より大きな量の伸縮が可能な部材で形成されている。そして、払拭部材４２は、投写レンズ３６のフォーカス調整によって、光束射出側端面３６Ａが光軸３６Ｃ方向において進退（前後方向に移動）した際にも光束射出側端面３６Ａを確実に払拭できるようになっている。
【００３２】
〔塵埃用ダクトの構成〕
次に、塵埃用ダクト５について詳細に説明する。
塵埃用ダクト５は、払拭部材４２で払拭された塵埃を受容し、前述したように、排気ファン６の駆動によって、受容された塵埃を排気口２２に導くように形成されている。
塵埃用ダクト５は、図１、図２に示すように、プロジェクター１の据置姿勢における投写レンズ３６の下方から、排気ファン６の間に形成されている。
【００３３】
塵埃用ダクト５は、受容部５１および流通路５２を有している。
受容部５１は、光束射出側端面３６Ａの下方（−Ｚ）に形成され、上方に開口する塵埃取り込み口５１１が設けられている。塵埃取り込み口５１１は、払拭部材４２が払拭し、落下する塵埃を回収できるようになっている。具体的に、塵埃取り込み口５１１は、図１に示すように、上方から見てＸ方向、Ｙ方向において光束射出側端面３６Ａよりも大きく形成されている。
【００３４】
流通路５２は、図１に示すように、受容部５１の−Ｘ側から延出し、投写レンズ３６と電源装置７との間、および光源装置３１と電源装置７との間を通った後、排気ファン６の空気流入口近傍まで形成されている。流通路５２には、排気ファン６側の端部に、塵埃取り込み口５１１に連通し、塵埃が排出される塵埃排出口５２１が形成されている。そして、排気ファン６は、塵埃用ダクト５内に受容部５１から排気口２２に向けて空気を送風するファンとしての機能を有することとなる。
【００３５】
〔レンズカバーユニットの動作〕
ここで、レンズカバーユニット４の動作について説明する。
図３は、レンズカバーユニット４の動作を説明するための図であり、レンズカバーユニット４近傍のプロジェクター１の模式図である。具体的に、図３（ａ）、（ｂ）は、レンズカバーユニット４をスライド移動させる際の途中の状態を示す図、図３（ｃ）は、閉塞状態を示す図である。より具体的に、図３（ａ）は、最も後退した光束射出側端面３６Ａに払拭部材４２が接触した状態を示す図、図３（ｂ）は、最も飛び出た光束射出側端面３６Ａに払拭部材４２が接触した状態を示す図である。
【００３６】
レンズカバーユニット４は、前述したように、開放状態において投写レンズ３６の−Ｘ側に位置するように配置されている（図１参照）。
レンズカバーユニット４は、この開放状態から＋Ｘ方向に移動されると、図３（ａ）、（ｂ）に示すように、払拭部材４２が光束射出側端面３６Ａに接触して光束射出側端面３６Ａを−Ｘ方向から＋Ｘ方向に払拭する。
【００３７】
また、レンズカバーユニット４は、投写レンズ３６がフォーカス調整され、光束射出側端面３６Ａが光軸３６Ｃ方向において移動された状態においても、払拭部材４２が伸縮して光束射出側端面３６Ａを払拭する。具体的に、払拭部材４２は、図３（ａ）に示すように、光束射出側端面３６Ａが最も後退した状態にも、適度な圧力を有して光束射出側端面３６Ａに接触し、光束射出側端面３６Ａを払拭する。また、払拭部材４２は、図３（ｂ）に示すように、光束射出側端面３６Ａが最も飛び出た状態においても、光束射出側端面３６Ａを傷つけること無く光束射出側端面３６Ａを払拭する。
【００３８】
そして、払拭部材４２が払拭して光束射出側端面３６Ａから脱落した塵埃は、塵埃取り込み口５１１に落下し、排気ファン６の駆動によって流通路５２を介して排気口２２から排出される。
また、光束射出側端面３６Ａの払拭に伴って浮遊する塵埃や、光束射出側端面３６Ａに付着せずに塵埃取り込み口５１１の周囲に浮遊する塵埃も、排気ファン６の駆動によって塵埃取り込み口５１１から塵埃用ダクト５に取り込まれ、排気口２２から排出される。
【００３９】
そして、レンズカバーユニット４は、図３（ｃ）に示すように、閉塞状態まで移動されると、払拭部材４２が光束射出側端面３６Ａから離間する。
【００４０】
詳細な説明は省略するが、レンズカバーユニット４は、閉塞状態から開放状態に移動される際にも、光束射出側端面３６Ａを＋Ｘ方向から−Ｘ方向に払拭する。そして、光束射出側端面３６Ａの払拭によって脱落する塵埃や浮遊する塵埃は、同様に塵埃用ダクト５を介して排気口２２から排出される。
【００４１】
以上説明したように、本実施形態のプロジェクター１によれば、以下の効果を得ることができる。
（１）プロジェクター１の未使用時における投写レンズ３６の保護が可能になると共に、投写用開口部２１をレンズカバーユニット４で開閉する際に、光束射出側端面３６Ａに付着した塵埃を払い落とすことができる。また、払拭部材４２が払い落とした塵埃を塵埃用ダクト５で受容し、排気口２２から外装筐体２の外部に排出することができる。よって、払拭された塵埃が再び光束射出側端面３６Ａや他の光学部品に付着することが抑制される。したがって、プロジェクター１は、長期に亘って、塵埃の付着による画質の劣化や照度の劣化を抑制して画像の投写が可能となる。
【００４２】
（２）受容部５１から排気口２２に向けて空気を送風するファンは、光源装置３１を冷却する排気ファン６で構成されている。これによって、塵埃用ダクト５内に空気を送風する専用のファンを搭載する必要がないので、プロジェクター１の大型化を抑制しつつ払拭部材４２にて払拭した塵埃を排気口２２から排出することが可能となる。
【００４３】
（３）払拭部材４２は、光束射出側端面３６Ａの光軸３６Ｃ方向における進退の量より大きな伸縮量を有する部材で形成されている。これによって、投写レンズ３６のフォーカスを調整した際にも、レンズカバー４１をスライドさせることで払拭部材４２が光束射出側端面３６Ａに接触し、光束射出側端面３６Ａを確実に払拭することができる。
【００４４】
（第２実施形態）
次に、第２実施形態に係るプロジェクター１について、図面を参照して説明する。以下の説明では、第１実施形態のプロジェクター１と同様の構造および同様の部材には、同一符号を付し、その詳細な説明は省略または簡略化する。
【００４５】
本実施形態のプロジェクター１は、第１実施形態の塵埃用ダクト５と形状の異なる塵埃用ダクト１５を備え、据置姿勢に対してプロジェクター１を上下反転して設置する天吊姿勢に対しても払拭部材４２にて払拭した塵埃を受容して排気口２２から排出できるように構成されている。
【００４６】
図４、図５は、第２実施形態のプロジェクター１を模式的に示す断面図である。具体的に、図４は、治具１００を介して天井に吊り下げられた天吊姿勢のプロジェクター１を前方から見た断面図であり、レンズカバーユニット４を省略した図である。図５は、天吊姿勢におけるプロジェクター１を下方から見た断面図である。
【００４７】
塵埃用ダクト１５は、図４、図５に示すように、受容部１５１および流通路１５２を備えている。
受容部１５１は、図４に示すように、光束射出側端面３６Ａの上方に位置する上側受容部１５１１、および光束射出側端面３６Ａの下方に位置する下側受容部１５１２を有している。換言すると、下側受容部１５１２は、天吊姿勢において、鉛直方向における光束射出側端面３６Ａの下方に位置し、上側受容部１５１１は、据置姿勢において、鉛直方向における光束射出側端面３６Ａの下方に位置することとなる。
そして、上側受容部１５１１および下側受容部１５１２には、光束射出側端面３６Ａに対向する側に開口する塵埃取り込み口１５１１Ａ，１５１２Ａがそれぞれ形成されている。
【００４８】
流通路１５２は、第１流通路１５２１および第２流通路１５２２を有している。
第１流通路１５２１は、図４、図５に示すように、上側受容部１５１１および下側受容部１５１２の−Ｘ側に接続され、投写レンズ３６と電源装置７との間に形成されている。第１流通路１５２１は、塵埃取り込み口１５１１Ａ，１５１２Ａに連通する筒状に形成されている。
【００４９】
第２流通路１５２２は、第１流通路１５２１の−Ｘ側端部の＋Ｚ側に連通して形成されており、光源装置３１と電源装置７との間を通った後、排気ファン６の空気流入口近傍まで形成されている。第２流通路１５２２には、排気ファン６側の端部に、塵埃取り込み口１５１１Ａ，１５１２Ａに連通し、塵埃が排出される塵埃排出口１５２２Ｅが形成されている。
【００５０】
投写レンズ３６の光束射出側端面３６Ａは、第１実施形態で説明したと同様に、レンズカバーユニット４がスライド移動されることによって払拭される。そして、払拭部材４２が払拭して光束射出側端面３６Ａから脱落した塵埃は、塵埃取り込み口１５１２Ａに落下し、排気ファン６の駆動によって流通路１５２を介して排気口２２から排出される。
【００５１】
また、光束射出側端面３６Ａの払拭に伴って浮遊する塵埃や、光束射出側端面３６Ａに付着せずに塵埃取り込み口１５１１Ａ，１５１２Ａの周囲に浮遊する塵埃も、排気ファン６の駆動によって塵埃取り込み口１５１１Ａ，１５１２Ａから塵埃用ダクト１５に取り込まれ、排気口２２から排出される。
【００５２】
また、図面は省略するが、プロジェクター１が据置姿勢に設置された場合には、払拭部材４２の払拭に伴う光束射出側端面３６Ａから脱落した塵埃は、塵埃取り込み口１５１１Ａに落下し、塵埃取り込み口１５１１Ａ，１５１２Ａの周囲に浮遊する塵埃は、排気ファン６の駆動によって塵埃取り込み口１５１１Ａ，１５１２Ａから塵埃用ダクト１５に取り込まれ、排気口２２から排出される。
このように、塵埃用ダクト１５は、天吊姿勢および据置姿勢の双方において、払拭部材４２が払拭した塵埃を受容し、受容した塵埃を排気ファン６の駆動によって排気口２２に導く。
【００５３】
以上説明したように、本実施形態のプロジェクター１によれば、第１実施形態の効果に加えて、以下の効果を得ることができる。
（１）プロジェクター１は、据置姿勢および天吊姿勢の双方において、払拭部材４２が払拭した塵埃を受容し、排気ファン６の駆動によって外装筐体２外に排出することができる。したがって、プロジェクター１は、据置姿勢および天吊姿勢の双方において、長期に亘って、塵埃の付着による画質の劣化や照度の劣化を抑制して画像の投写が可能となる。
【００５４】
（２）受容部１５１は、光束射出側端面３６Ａの上下に位置する上側受容部１５１１および下側受容部１５１２を有しているので、払拭により外装筐体２内部に浮遊する塵埃をより効率的に受容し、外装筐体２外部に排出することが可能となる。
【００５５】
（変形例）
なお、前記実施形態は、以下のように変更してもよい。
前記第２実施形態の塵埃用ダクト１５に弁等を備えた切換機構を設け、天吊姿勢と据置姿勢とに対応して塵埃排出口１５２２Ｅに流通する空気の流路を切り換えるように構成してもよい。例えば、天吊姿勢の場合には、塵埃取り込み口１５１２Ａと塵埃排出口１５２２Ｅとが連通し、塵埃取り込み口１５１１Ａと塵埃排出口１５２２Ｅとの連通が遮蔽されるように構成する。そして、据置姿勢の場合には、塵埃取り込み口１５１１Ａと塵埃排出口１５２２Ｅとが連通し、塵埃取り込み口１５１２Ａと塵埃排出口１５２２Ｅとの連通が遮蔽されるように構成する。このように構成することで、塵埃用ダクト１５内に流通する空気の風圧を高めることができるので、排気ファン６の低回転での駆動や、小型の排気ファン６の使用が可能となる。よって、プロジェクター１の低騒音化や小型化を図りつつ、投写レンズ３６を払拭した塵埃の排出が可能となる。
【００５６】
前記実施形態では、塵埃用ダクト５，１５内に空気を送風するファンとして光源装置３１を冷却する排気ファン６を用いているが、他の冷却対象を冷却した空気を排出するファンを用いるように構成してもよい。例えば、冷却対象として電源装置７や光学装置３５等を冷却した空気を排出するファンを用いる構成としてもよい。
【００５７】
前記実施形態のレンズカバーユニット４は、手動によってスライド移動されるように構成されているが、電動式によって移動するように構成してもよい。
【符号の説明】
【００５８】
１…プロジェクター、２…外装筐体、３…光学ユニット、４…レンズカバーユニット、５，１５…塵埃用ダクト、６…排気ファン、２１…投写用開口部、２２…排気口、３１…光源装置、３６…投写レンズ、３６Ａ…光束射出側端面、３６Ｃ…光軸、４１…レンズカバー、４２…払拭部材、５１，１５１…受容部、３１１…光源、１５１１…上側受容部、１５１２…下側受容部。
【図１】
2012150315.tif 000003
【図２】
2012150315.tif 000004
【図３】
2012150315.tif 000005
【図４】
2012150315.tif 000006
【図５】
2012150315.tif 000007